(57)【特許請求の範囲】
【請求項１】
窓枠と、前記窓枠内に構成される固定窓と、前記窓枠内であって前記固定窓よりも室内側にスライド可能に配置される障子とを備え、
前記窓枠は、上枠、下枠、左右の縦枠および縦骨を備え、
前記下枠は、前記障子を案内するレール部を有し、
前記固定窓と前記レール部との間には水溜空間が形成され、
前記下枠には、前記水溜空間を室外側に連通する第一排水経路が構成され、
前記固定窓は、面材と、前記面材の周縁を固定する固定部とによって構成され、
前記固定部および前記面材間には空間が形成され、
前記固定窓の下部には、前記空間を室外側に連通する第二排水経路が前記第一排水経路と区分けされて構成され、
前記下枠は、第一室外見付け片部と、第二室外見付け片部と、前記第一室外見付け片部および前記第二室外見付け片部とに連続する下片部とを有し、
前記第二室外見付け片部は、前記第一室外見付け片部よりも室外側に配置され、
前記下片部は、前記第一室外見付け片部から前記第二室外見付け片部に向かって室外側に延設され、
前記下片部には、前記第二排水経路を構成する排水口が形成される
ことを特徴とする建具。
【請求項２】
窓枠と、前記窓枠内に構成される固定窓と、前記窓枠内であって前記固定窓よりも室内側にスライド可能に配置される障子とを備え、
前記窓枠は、上枠、下枠、左右の縦枠および縦骨を備え、
前記下枠は、前記障子を案内するレール部を有し、
前記固定窓と前記レール部との間には水溜空間が形成され、
前記下枠には、前記水溜空間を室外側に連通する第一排水経路が構成され、
前記固定窓は、面材と、前記面材の周縁を固定する固定部とによって構成され、
前記固定部および前記面材間には空間が形成され、
前記固定窓の下部には、前記空間を室外側に連通する第二排水経路が前記第一排水経路と区分けされて構成され、
前記上枠、前記下枠、前記左右の縦枠および前記縦骨は樹脂製枠材によって形成され、
前記下枠には、第一中空部および第二中空部が形成され、
前記第一中空部には、補強材が配置され、
前記第二中空部には、前記第二排水経路が構成される
ことを特徴とする建具。
【請求項３】
窓枠と、前記窓枠内に構成される固定窓と、前記窓枠内であって前記固定窓よりも室内側にスライド可能に配置される障子とを備え、
前記窓枠は、上枠、下枠、左右の縦枠および縦骨を備え、
前記下枠は、前記障子を案内するレール部を有し、
前記固定窓と前記レール部との間には水溜空間が形成され、
前記下枠には、前記水溜空間を室外側に連通する第一排水経路が構成され、
前記固定窓は、前記上枠、前記下枠、前記左右の縦枠のうちの一方の縦枠および前記縦骨によって構成される固定部内に前記面材を固定して構成され、
前記固定部および前記面材間には空間が形成され、
前記固定窓の下部には、前記空間を室外側に連通する第二排水経路が前記第一排水経路と区分けされて構成され、
前記第二排水経路は前記下枠に構成される
ことを特徴とする建具。
【請求項４】
窓枠と、前記窓枠内に構成される固定窓と、前記窓枠内であって前記固定窓よりも室内側にスライド可能に配置される障子とを備え、
前記窓枠は、上枠、下枠、左右の縦枠および縦骨を備え、
前記下枠は、前記障子を案内するレール部を有し、
前記固定窓と前記レール部との間には水溜空間が形成され、
前記下枠には、前記水溜空間を室外側に連通する第一排水経路が構成され、
前記固定窓は、面材と、前記面材の周縁を固定する固定部とによって構成され、
前記固定部および前記面材間には空間が形成され、
前記固定窓の下部には、前記空間を室外側に連通する第二排水経路が前記第一排水経路と区分けされて構成され、
前記固定窓は、前記上枠、前記下枠および前記左右の縦枠のうちの一方の縦枠によって構成される枠内に固定障子を固定して構成され、
前記固定障子は、上框、下框、左右の縦框によって構成される前記固定部内に前記面材を固定して構成され、
前記下枠は、前記第一排水経路を構成する排水口が形成された室外見付け片部を有し、
前記下框の下面のうち前記室外見付け片部よりも室外側に位置する部分には、前記第二排水経路を構成する排水口が形成される
ことを特徴とする建具。
【請求項５】
窓枠と、前記窓枠内に構成される固定窓と、前記窓枠内であって前記固定窓よりも室内側にスライド可能に配置される障子とを備え、
前記窓枠は、上枠、下枠、左右の縦枠および縦骨を備え、
前記下枠は、前記障子を案内するレール部を有し、
前記固定窓と前記レール部との間には水溜空間が形成され、
前記下枠には、前記水溜空間を室外側に連通する第一排水経路が構成され、
前記固定窓は、面材と、前記面材の周縁を固定する固定部とによって構成され、
前記固定部および前記面材間には空間が形成され、
前記固定窓の下部には、前記空間を室外側に連通する第二排水経路が前記第一排水経路と区分けされて構成され、
前記固定窓は、前記上枠、前記下枠および前記左右の縦枠のうちの一方の縦枠によって構成される枠内に固定障子を固定して構成され、
前記固定障子は、樹脂製の上框、下框、左右の縦框によって構成される前記固定部内に前記面材を固定して構成され、
前記下框には、第一中空部および第二中空部が形成され、
前記第一中空部には、補強材が配置され、
前記第二中空部には、前記第二排水経路が構成される
ことを特徴とする建具。
【請求項６】
請求項１に記載の建具において、
第一室外見付け片部には、第一排水経路を構成する排水口が形成される
ことを特徴とする建具。
【請求項７】
請求項２に記載の建具において、
前記第一中空部は前記縦骨の下部に位置し、
前記第一中空部に配置される前記補強材は、前記縦骨の下部に取り付けられ、
前記第二中空部は、前記第一中空部よりも室外側に配置される
ことを特徴とする建具。
【請求項８】
請求項１から請求項７のいずれか一項に記載の建具において、
前記第一排水経路には、前記第一排水経路を閉じた状態と開いた状態とを切り替える排水装置が配置される
ことを特徴とする建具。
【発明の詳細な説明】
【技術分野】
【０００１】
本発明は、固定窓と、固定窓よりも室内側でスライド可能な障子とを備える建具に関する。
【背景技術】
【０００２】
従来、上枠、下枠および左右の縦枠を枠組みした窓枠と、この窓枠内に組み込まれた室内側の内障子および室外側の外障子とを備えたサッシ窓が知られている（特許文献１参照）。
下枠には、上方に突設した外レール部および内レール部が設けられており、外レール部では外障子の下部側の戸車が当接しており、内レール部では内障子の下部側の戸車が当接している。外レール部および内レール部間には水溜空間が形成されている。この水溜空間は、内障子側からの雨水等と外障子側からの雨水等との双方が流れ込んで溜まる空間となっている。
【０００３】
水溜空間に溜まった水は、排水口や排水弁によって構成される共通の排水経路を通じて室外側に排水される。この際、水溜空間は、外障子などによって外気と遮断されて室内側の空間とされているため、水溜空間の圧力（内圧）は室外側の風圧力（外圧）と異なる。
従って、風がサッシ窓側に吹き付けて風圧が高まった場合（風圧力が正圧となった場合等）、水溜空間に溜まった水の水頭圧が外圧よりも小さい状態では、排水弁は閉じられるため、風が水溜空間に吹き込むことを防止している。
一方、風圧力が負圧となった場合等、水溜空間に溜まった水の水頭圧が外圧よりも大きくなれば、その圧力差で排水弁が開き、水溜空間の水が室外側に排水される。
このように、下枠には水頭式の排水構造が構成されている。
【先行技術文献】
【特許文献】
【０００４】
【特許文献１】特開２００５−７６４２８号公報
【発明の概要】
【発明が解決しようとする課題】
【０００５】
ところで、特許文献１に記載のサッシ窓では、内障子側からの水と外障子側からの水との双方が共通の水溜空間に流れ込み、共通の排水経路から室外側に排水される。このため、水溜空間に水が溜まりやすく、共通の排水経路の排水能力を超えて水溜空間に水が溜まると室内側への漏水につながるおそれがある。
【０００６】
このように排水能力を超えて水溜空間に水が溜まることは、例えば、窓枠内に固定窓を構成し、かつ当該窓枠内にスライド可能に障子を配置して構成される片引き窓でも同様に発生し得る。つまり、片引き窓が、固定窓側からの水と障子側からの水との双方が共通の水溜空間に流れ込み、共通の排水経路から室外側に排水される構成とされる場合には、水溜空間に水が溜まりやすく、共通の排水経路の排水能力を超えて水溜空間に水が溜まると室内側への漏水につながるおそれがある。
【０００７】
本発明の目的は、排水能力を超えて水溜空間に水が溜まることを抑制できる建具を提供することにある。
【課題を解決するための手段】
【０００８】
本発明の建具は、窓枠と、前記窓枠内に構成される固定窓と、前記窓枠内であって前記固定窓よりも室内側にスライド可能に配置される障子とを備え、前記窓枠は、上枠、下枠、左右の縦枠および縦骨を備え、前記下枠は、前記障子を案内するレール部を有し、前記固定窓と前記レール部との間には水溜空間が形成され、前記下枠には、前記水溜空間を室外側に連通する第一排水経路が構成され、前記固定窓は、面材と、前記面材の周縁を固定する固定部とによって構成され、前記固定部および前記面材間には空間が形成され、前記固定窓の下部には、前記空間を室外側に連通する第二排水経路が前記第一排水経路と区分けされて構成され、前記下枠は、第一室外見付け片部と、第二室外見付け片部と、前記第一室外見付け片部および前記第二室外見付け片部とに連続する下片部とを有し、前記第二室外見付け片部は、前記第一室外見付け片部よりも室外側に配置され、前記下片部は、前記第一室外見付け片部から前記第二室外見付け片部に向かって室外側に延設され、前記下片部には、前記第二排水経路を構成する排水口が形成されることを特徴とする。
【０００９】
本発明の建具によれば、固定窓よりも室内側に配置される障子側に浸入する雨水等は水溜空間に流れ込んで溜まるが、固定部および面材間の空間に浸入する雨水等は、水溜空間に流れ込まずに第二排水経路を通じて室外側に排水される。このため、例えば固定窓側の水と障子側の水との双方が水溜空間に流れ込み、共通の排水経路から排水される構成とされる建具と比べ、第一排水経路における排水能力を超えて水溜空間に水が溜まることを抑制できる。
また、第二排水経路が第一排水経路と区分けされているため、水溜空間や第一排水経路の水によって第二排水経路が塞がれることがない。例えば、固定部および面材間の空間が外気と等圧となる等圧空間である場合には、第二排水経路が塞がれて固定部および面材間の等圧空間の外気との等圧状態を維持できなくなるおそれを低減できる。
更に、第一室外見付け片部から第二室外見付け片部に向かって室外側に延設される下片部に対して排水口が形成されるので、当該排水口は外観上視認されにくい位置に配置され、意匠性を向上できる。
【００１０】
本発明の建具は、窓枠と、前記窓枠内に構成される固定窓と、前記窓枠内であって前記固定窓よりも室内側にスライド可能に配置される障子とを備え、前記窓枠は、上枠、下枠、左右の縦枠および縦骨を備え、前記下枠は、前記障子を案内するレール部を有し、前記固定窓と前記レール部との間には水溜空間が形成され、前記下枠には、前記水溜空間を室外側に連通する第一排水経路が構成され、前記固定窓は、面材と、前記面材の周縁を固定する固定部とによって構成され、前記固定部および前記面材間には空間が形成され、前記固定窓の下部には、前記空間を室外側に連通する第二排水経路が前記第一排水経路と区分けされて構成され、前記上枠、前記下枠、前記左右の縦枠および前記縦骨は樹脂製枠材によって形成され、前記下枠には、第一中空部および第二中空部が形成され、前記第一中空部には、補強材が配置され、前記第二中空部には、前記第二排水経路が構成されることを特徴とする。
本発明の建具によれば、固定窓よりも室内側に配置される障子側に浸入する雨水等は水溜空間に流れ込んで溜まるが、固定部および面材間の空間に浸入する雨水等は、水溜空間に流れ込まずに第二排水経路を通じて室外側に排水される。このため、例えば固定窓側の水と障子側の水との双方が水溜空間に流れ込み、共通の排水経路から排水される構成とされる建具と比べ、第一排水経路における排水能力を超えて水溜空間に水が溜まることを抑制できる。
また、第二排水経路が第一排水経路と区分けされているため、水溜空間や第一排水経路の水によって第二排水経路が塞がれることがない。例えば、固定部および面材間の空間が外気と等圧となる等圧空間である場合には、第二排水経路が塞がれて固定部および面材間の等圧空間の外気との等圧状態を維持できなくなるおそれを低減できる。
更に、第二排水経路を通る水が補強材が配置される第一中空部に浸入することがないので、補強材が水にぬれて腐食等することを抑制できる。
【００１１】
本発明の建具は、窓枠と、前記窓枠内に構成される固定窓と、前記窓枠内であって前記固定窓よりも室内側にスライド可能に配置される障子とを備え、前記窓枠は、上枠、下枠、左右の縦枠および縦骨を備え、前記下枠は、前記障子を案内するレール部を有し、前記固定窓と前記レール部との間には水溜空間が形成され、前記下枠には、前記水溜空間を室外側に連通する第一排水経路が構成され、前記固定窓は、前記上枠、前記下枠、前記左右の縦枠のうちの一方の縦枠および前記縦骨によって構成される固定部内に前記面材を固定して構成され、前記固定部および前記面材間には空間が形成され、前記固定窓の下部には、前記空間を室外側に連通する第二排水経路が前記第一排水経路と区分けされて構成され、前記第二排水経路は前記下枠に構成されることを特徴とする。
本発明の建具によれば、固定窓よりも室内側に配置される障子側に浸入する雨水等は水溜空間に流れ込んで溜まるが、固定部および面材間の空間に浸入する雨水等は、水溜空間に流れ込まずに第二排水経路を通じて室外側に排水される。このため、例えば固定窓側の水と障子側の水との双方が水溜空間に流れ込み、共通の排水経路から排水される構成とされる建具と比べ、第一排水経路における排水能力を超えて水溜空間に水が溜まることを抑制できる。
また、第二排水経路が第一排水経路と区分けされているため、水溜空間や第一排水経路の水によって第二排水経路が塞がれることがない。例えば、固定部および面材間の空間が外気と等圧となる等圧空間である場合には、第二排水経路が塞がれて固定部および面材間の等圧空間の外気との等圧状態を維持できなくなるおそれを低減できる。
更に、固定枠によって面材自体を保持するので、面材の周縁に框材を取り付ける必要がなく、建具の部品点数を削減できる。
【００１２】
本発明の建具は、窓枠と、前記窓枠内に構成される固定窓と、前記窓枠内であって前記固定窓よりも室内側にスライド可能に配置される障子とを備え、前記窓枠は、上枠、下枠、左右の縦枠および縦骨を備え、前記下枠は、前記障子を案内するレール部を有し、前記固定窓と前記レール部との間には水溜空間が形成され、前記下枠には、前記水溜空間を室外側に連通する第一排水経路が構成され、前記固定窓は、面材と、前記面材の周縁を固定する固定部とによって構成され、前記固定部および前記面材間には空間が形成され、前記固定窓の下部には、前記空間を室外側に連通する第二排水経路が前記第一排水経路と区分けされて構成され、前記固定窓は、前記上枠、前記下枠および前記左右の縦枠のうちの一方の縦枠によって構成される枠内に固定障子を固定して構成され、前記固定障子は、上框、下框、左右の縦框によって構成される前記固定部内に前記面材を固定して構成され、前記下枠は、前記第一排水経路を構成する排水口が形成された室外見付け片部を有し、前記下框の下面のうち前記室外見付け片部よりも室外側に位置する部分には、前記第二排水経路を構成する排水口が形成されることを特徴とする。
本発明の建具によれば、固定窓よりも室内側に配置される障子側に浸入する雨水等は水溜空間に流れ込んで溜まるが、固定部および面材間の空間に浸入する雨水等は、水溜空間に流れ込まずに第二排水経路を通じて室外側に排水される。このため、例えば固定窓側の水と障子側の水との双方が水溜空間に流れ込み、共通の排水経路から排水される構成とされる建具と比べ、第一排水経路における排水能力を超えて水溜空間に水が溜まることを抑制できる。
また、第二排水経路が第一排水経路と区分けされているため、水溜空間や第一排水経路の水によって第二排水経路が塞がれることがない。例えば、固定部および面材間の空間が外気と等圧となる等圧空間である場合には、第二排水経路が塞がれて固定部および面材間の等圧空間の外気との等圧状態を維持できなくなるおそれを低減できる。
更に、下框に第二排水経路を構成して固定障子を窓枠内に固定することで、一般的な障子を利用して固定窓を構成できる。
加えて、第二排水経路を構成する排水口は、下框の下面のうち室外見付け片部よりも室外側に位置する部分に形成されるので、当該排水口は外観上視認されにくい位置に配置され、意匠性を向上できる。
【００１３】
本発明の建具は、窓枠と、前記窓枠内に構成される固定窓と、前記窓枠内であって前記固定窓よりも室内側にスライド可能に配置される障子とを備え、前記窓枠は、上枠、下枠、左右の縦枠および縦骨を備え、前記下枠は、前記障子を案内するレール部を有し、前記固定窓と前記レール部との間には水溜空間が形成され、前記下枠には、前記水溜空間を室外側に連通する第一排水経路が構成され、前記固定窓は、面材と、前記面材の周縁を固定する固定部とによって構成され、前記固定部および前記面材間には空間が形成され、前記固定窓の下部には、前記空間を室外側に連通する第二排水経路が前記第一排水経路と区分けされて構成され、前記固定窓は、前記上枠、前記下枠および前記左右の縦枠のうちの一方の縦枠によって構成される枠内に固定障子を固定して構成され、前記固定障子は、樹脂製の上框、下框、左右の縦框によって構成される前記固定部内に前記面材を固定して構成され、前記下框には、第一中空部および第二中空部が形成され、前記第一中空部には、補強材が配置され、前記第二中空部には、前記第二排水経路が構成されることを特徴とする。
本発明の建具によれば、固定窓よりも室内側に配置される障子側に浸入する雨水等は水溜空間に流れ込んで溜まるが、固定部および面材間の空間に浸入する雨水等は、水溜空間に流れ込まずに第二排水経路を通じて室外側に排水される。このため、例えば固定窓側の水と障子側の水との双方が水溜空間に流れ込み、共通の排水経路から排水される構成とされる建具と比べ、第一排水経路における排水能力を超えて水溜空間に水が溜まることを抑制できる。
また、第二排水経路が第一排水経路と区分けされているため、水溜空間や第一排水経路の水によって第二排水経路が塞がれることがない。例えば、固定部および面材間の空間が外気と等圧となる等圧空間である場合には、第二排水経路が塞がれて固定部および面材間の等圧空間の外気との等圧状態を維持できなくなるおそれを低減できる。
更に、下框に第二排水経路を構成して固定障子を窓枠内に固定することで、一般的な障子を利用して固定窓を構成できる。
加えて、第二排水経路を通る水が補強材が配置される第一中空部に浸入することがないので、補強材が水にぬれて腐食等することを抑制できる。
【００１４】
本発明の建具では、下枠の第一室外見付け片部には、第一排水経路を構成する排水口が形成されていてもよい。
【００１５】
本発明の建具では、前記下枠の前記第一中空部は前記縦骨の下部に位置し、前記下枠の前記第一中空部に配置される前記補強材は、前記縦骨の下部に取り付けられ、前記下枠の前記第二中空部は、前記下枠の前記第一中空部よりも室外側に配置されることが好ましい。このような構成によれば、下枠の第一中空部内の補強材を縦骨の下部に配置し、かつ当該縦骨の下部に取り付けることで、樹脂製の窓枠の剛性を高めることができる。
また、室外側から固定部および面材間の空間に浸入する雨水等は第二排水経路を通じて室外側に排水されるので、当該第二排水経路よりも室内側に位置する下枠の第一中空部側まで水が拡がることを抑制でき、補強材の縦骨下部に対する取付部分などに水が浸入するおそれを低減できる。
また、本発明の建具では、前記第一排水経路には、前記第一排水経路を閉じた状態と開いた状態とを切り替える排水装置が配置されることが好ましい。このような構成によれば、排水装置によって第一排水経路を閉じた状態とすることで、水溜空間に所定量の雨水等を溜めることができて、風が水溜空間に吹き込むことを防止できる。
【発明の効果】
【００１６】
本発明によれば、排水能力を超えて水溜空間に水が溜まることを抑制できる建具を提供できる。
【図面の簡単な説明】
【００１７】
【図１】本発明の実施形態に係る片引き窓を示す外観姿図。
【図２】図１のＩＩ−ＩＩ線に沿って示す縦断面図。
【図３】図１のＩＩＩ−ＩＩＩ船に沿って示す横断面図。
【図４】前記実施形態に係る片引き窓の下枠を拡大して示す縦断面図。
【図５】前記実施形態に係る片引き窓の縦骨の下部を示す説明図。
【図６】本発明の変形例に係る片引き窓の要部を示す縦断面図。
【発明を実施するための形態】
【００１８】
［本実施形態の構成］
以下、本発明の実施形態を図面に基づいて説明する。
図１〜３において、本実施形態に係る建具である片引き窓１は、建物躯体の開口部に設置されるものである。片引き窓１は、窓枠２と、図１に示す窓枠２の右半分側に構成される固定窓３と、窓枠２内に左右方向にスライド可能に配置された障子４（内障子）とを備えている。
【００１９】
［窓枠］
窓枠２は、上枠２１、下枠２２および左右の縦枠２３，２４を枠組みし、かつ縦枠２３，２４間に中骨２５（縦骨）を設けて構成されている。上枠２１、下枠２２、左右の縦枠２３，２４および中骨２５は、樹脂製の押出形材によって形成された樹脂枠材である。上枠２１、下枠２２および左右の縦枠２３，２４は、それぞれ互いに同一断面形状に形成されている。図１において左側に示す縦枠２３は、障子４に対して戸先側に位置している。図１において右側に示す縦枠２４は、障子４に対して戸尻側に位置している。
【００２０】
［固定窓］
固定窓３は、上枠２１、下枠２２、縦枠２４および中骨２５によって構成される固定枠２０（固定部）と、この固定枠２０内に配置される複層ガラス等からなる面材３１とを備えている。固定枠２０には、気密材１１と押縁１２とが装着されている。気密材１１は面材３１の外周部の室外面に当接し、押縁１２は面材３１の外周部の室内面に当接している。従って、面材３１は、気密材１１および押縁１２で挟持されている。
【００２１】
固定枠２０と面材３１との間には等圧空間３２（空間）が形成されている。等圧空間３２は、主に第二排水経路６０を通じて室外側外部に連通することで室外側の外気と等圧となっている。この等圧空間３２を形成することで、室外側の外気と固定枠２０および面材３１間との圧力差による雨水等の浸入を抑制している。
【００２２】
［障子］
障子４は、上框４１、下框４２、左右の縦框４３，４４および複層ガラス等からなる面材４５を框組みして構成されている。上框４１、下框４２および左右の縦框４３，４４は、樹脂製の押出形材によって形成された樹脂框材である。図３において右側に示す縦框４３は戸先側の縦框であり、図３において左側に示す縦框４４は召合せ側の縦框である。
上框４１、下框４２、左右の縦框４３，４４には、気密材１１と押縁１２とが装着されている。気密材１１は面材４５の外周部の室外面に当接し、押縁１２は面材４５の外周部の室外面に当接している。従って、面材４５は、気密材１１および押縁１２で挟持されている。また、下框４２には戸車４６が設置されている。
【００２３】
［下枠］
下枠２２は、図４に示すように、枠本体部２６と、面材３１を保持する保持部２７と、障子４を左右方向に案内するレール部２８（レール）とを有している。
［枠本体部］
枠本体部２６は、第一室外見付け片部２６１と、外側見込み片部２６２と、内側見込み片部２６３と、室内見付け片部２６４とを有している。第一室外見付け片部２６１には、外側見込み片部２６２が連続している。外側見込み片部２６２よりも窓枠２の内側（上面側）には、内側見込み片部２６３が配置されている。すなわち、外側見込み片部２６２は、内側見込み片部２６３よりも窓枠２の外側（外周側）に配置され、内側見込み片部２６３は外側見込み片部２６２よりも窓枠２の内側（内周側）に配置されている。したがって、下枠２２では、外側見込み片部２６２は下面側に配置され、内側見込み片部２６３は上面側に配置される。
外側見込み片部２６２および内側見込み片部２６３には、室内見付け片部２６４が連続している。
【００２４】
外側見込み片部２６２と内側見込み片部２６３との間には第１仕切り片部２６５Ａおよび第２仕切り片部２６５Ｂが設けられている。これらの仕切り片部２６５Ａ，２６５Ｂによって外側見込み片部２６２および内側見込み片部２６３間の空間が仕切られることで、３つの中空部２６７，２６８，２６９が形成されている。
中空部２６７は、第１仕切り片部２６５Ａおよび室内見付け片部２６４間に形成されている。中空部２６８は、中空部２６７の室外側に形成され、中空部２６９は、中空部２６８よりも室外側に形成されている。中空部２６８には、金属製の補強材２６６が外側見込み片部２６２にねじ１０によってねじ止めされて配置されている。
レール部２８は、内側見込み片部２６３から下枠２２の見付け方向（上方）に突設されている。レール部２８は、内側見込み片部２６３から上方の突出された室内側突出片２８１および室外側突出片２８２と、室内側突出片２８１および室外側突出片２８２を連結する上面連結部２８３とを備えている。上面連結部２８３の上面には、金属製のレール部材２８４が取り付けられ、このレール部材２８４上を戸車４６が移動するように構成されている。室内側突出片２８１は、第１仕切り片部２６５Ａの上方に位置しており、レール部２８に加わる障子４の荷重を、室内側突出片２８１から第１仕切り片部２６５Ａに伝えて支持できるように構成されている。
【００２５】
［保持部］
保持部２７は、下片部２７１と、第二室外見付け片部２７２と、見込み片部２７３と、レール対向片部２７４とを有している。
下片部２７１は、第一室外見付け片部２６１の上端に連続しており、当該第一室外見付け片部２６１から室外側に向かって斜め上向きに突き出ている。下片部２７１は、下枠２２の見付け方向に交差する方向に沿って配置されている。第二室外見付け片部２７２は、下片部２７１の室外端に連続しており、その先端部分には気密材１１が装着されている。第二室外見付け片部２７２は、第一室外見付け片部２６１よりも室外側に配置されている。見込み片部２７３は、第二室外見付け片部２７２に連続している。レール対向片部２７４は、見込み片部２７３および内側見込み片部２６３に連続しており、レール部２８に対して間隔を隔てて対向して配置されている。
見込み片部２７３には、上方に向かって突出する溝形成部２７３Ａが形成され、この溝形成部２７３Ａとレール対向片部２７４との間に形成された係合溝に押縁１２が係合している。
【００２６】
保持部２７には、下片部２７１およびレール対向片部２７４のそれぞれの下端に連続する略水平方向に沿って設けられた仕切り片部２７５と、下片部２７１および見込み片部２７３に連続する略垂直方向に沿って設けられた仕切り片部２７６とが設けられている。
下片部２７１、第二室外見付け片部２７２、見込み片部２７３および仕切り片部２７６によって中空部２７７（第二中空部）が形成されている。見込み片部２７３、レール対向片部２７４および仕切り片部２７５，２７６によって中空部２７８（第一中空部）が形成されている。
また、前記中空部２６９は、第一室外見付け片部２６１、外側見込み片部２６２、第２仕切り片部２６５Ｂ、内側見込み片部２６３および仕切り片部２７５によって区画形成されている。
中空部２７７，２７８を仕切る仕切り片部２７６は、見込み方向の位置が面材３１の見込み寸法内に設定されている。
中空部２７７は、中空部２７８よりも室外側に位置している。中空部２６９は、中空部２７８の下方に位置している。
【００２７】
中空部２７８は、図５（Ａ）、図５（Ｂ）に示すように中骨２５の下方に位置している。この中空部２７８には、断面コ字形状の金属製の補強材２７９が見込み片部２７３にねじ１０によってねじ止めされて配置されている。
ここで、補強材２７９は、図５（Ａ）、図５（Ｂ）に示すように、中骨２５の内部にある補強材２５２にねじ止めされた取付金具２５１に対しねじ１０によってねじ止めされている。このようにねじ止めすることで下枠２２と中骨２５との取付部分の剛性は高められている。
【００２８】
［水溜形成部］
下枠２２には、図４に示すように、レール部２８の室外側突出片２８２、内側見込み片部２６３およびレール対向片部２７４によって水溜形成部２２１が形成され、この水溜形成部２２１によって水溜空間５が区画形成されている。水溜形成部２２１において、レール対向片部２７４が室外側壁部であり、室外側突出片２８２が室内側壁部であり、内側見込み片部２６３が底面部である。
また、水溜空間５の下枠２２に沿った方向の両端部は、縦枠２４と後述する下枠風止め板７とで区画されている。
【００２９】
［排水経路］
下枠２２には、水溜空間５に溜まった雨水等を室外側に排水する第一排水経路５０と、後述する固定枠２０および面材３１間の等圧空間３２に浸入した雨水等を室外側に排水する第二排水経路６０とが構成されている。
【００３０】
［第一排水経路］
第一排水経路５０は、下枠２２の内側見込み片部２６３（水溜空間５の底面部）に形成された排水口５１と、下枠２２の第一室外見付け片部２６１に形成された排水口５２とを備えて構成されている。排水口５１には排水装置５３が装着されている。
排水口５１は、図３に示すように、下枠２２の長手方向に沿った長穴状に形成され、下枠２２の長手方向に沿って所定間隔を隔てて複数配置されている。また、排水口５２は、下枠２２の長手方向に沿って所定間隔を隔てて複数配置されている。下枠２２の長手方向（窓枠２の左右方向）における排水口５１および排水口５２の位置は、一致するように設置されている。
排水口５１は水溜空間５と中空部２６９とを連通している。排水口５２は中空部２６９と室外側空間とを連通している。これにより、第一排水経路５０は、水溜空間５から中空部２６９を通じて室外側空間につながる経路として構成されている。
【００３１】
本実施形態では、排水装置５３は、排水口５１に垂直方向から挿入されて取り付けられる。排水装置５３は、図４に示すように、排水弁ケース５３０と、排水弁ケース５３０に回動可能に取り付けられた二つの弁体５３１，５３２とを備えている。排水弁ケース５３０および弁体５３１，５３２は、例えば、ＡＢＳ樹脂（アクリロニトリル、ブタジエン、スチレンの共重合体）で構成される。
【００３２】
弁体５３１は中空部２６９に位置しており、弁体５３２は水溜空間５に位置している。
弁体５３１は、水溜空間５に溜まる水の水頭圧が室外側の風圧力よりも小さい場合における閉じた状態と、水溜空間５に溜まる水の水頭圧が室外側の風圧力よりも大きい場合における開いた状態とを、回動によって切り替える。
弁体５３２は、水に対する比重が小さい材料によって構成されている。この弁体５３２は、水溜空間５に溜まる水の高さレベルが所定高さよりも高くなった場合に水に浮きながら回動して排水口５１を開く。また、水溜空間５に溜まる水の高さレベルが所定高さ以下の高さとなった場合に元の位置まで回動し、排水口５１を閉じる。
【００３３】
［第二排水経路］
第二排水経路６０は、下枠２２の見込み片部２７３に形成された排水口６１と、下片部２７１に形成された排水口６２とによって構成されている。排水口６１，６２は、中空部２７８よりも室外側に位置している。
排水口６１は、下枠２２の見込み片部２７３のうち面材３１の下縁部に対向する部分に複数形成されている。複数の排水口６１は、下枠２２の長手方向に沿って所定間隔を隔てて配置されている。各排水口６１は、面材３１の下端面と室外面との連続部分に対して鉛直方向における下方に配置されており、これにより、面材３１の室外面をつたって落ちる水はそのまま排水口６１を通って排水される。また、排水口６２は、下片部２７１の長手方向に沿って所定間隔を隔てて複数配置されている。各排水口６２は、各排水口６１に対して鉛直方向における下方にそれぞれ配置されており、これにより、排水口６１から落ちる水はそのまま排水口６２を通って排水される。各排水口６２は、下枠２２の長手方向において複数の排水口５２間の位置に配置されており、これにより、排水口６２から排水される水と排水口５２から排水される水とが影響しあう可能性を低減している。
排水口６１は等圧空間３２と中空部２７７とを連通している。排水口６２は中空部２７７と室外側空間とを連通している。これにより、第二排水経路６０は、等圧空間３２から中空部２７７を通じて室外側空間につながる経路として構成されている。
前述した第二排水経路６０は、第一排水経路５０よりも室外側に区分けされて構成されている。つまり、第一排水経路５０と第二排水経路６０とは互いに別個独立の経路である。従って、第一排水経路５０を流れる水と第二排水経路６０を流れる水とが合流することはない。
【００３４】
［上枠、縦枠］
上枠２１、左右の縦枠２３，２４は、下枠２２と同様の断面形状に形成されているので、下枠２２の各構成と適宜同符号を付す。ただし、上枠２１、左右の縦枠２３，２４には、第一排水経路５０および第二排水経路６０は構成されていない。つまり、上枠２１、左右の縦枠２３，２４には、排水口５１，５２，６１，６２は形成されておらず、排水装置５３も取り付けられていない。
上枠２１の保持部２７は、図２に示すように面材３１の上縁部を保持している。上枠２１の補強材２７９は、中骨２５の上部に取付金具２５１を介して取り付けられている。
図３において左側に示す縦枠２４の保持部２７は、面材３１の左側の縦縁部を保持している。図３において右側に示す縦枠２３の保持部２７にはカバー材１４が装着されている。
【００３５】
［中骨］
中骨２５は、図３に示すように、中空部２５３を有した枠本体部２５４と、面材３１の縦縁部を保持する保持部２５５とを有している。保持部２５５は縦枠２４の保持部２７と同様に形成されており、当該縦枠２４と同様に面材３１を保持している。
中空部２５３には、図５（Ａ）、図５（Ｂ）に示すように、金属製の補強材２５２が配置されている。補強材２５２の上部および下部には、取付金具２５１がそれぞれねじ止めされている。各取付金具２５１は、下枠２２の補強材２７９および上枠２１の補強材２７９にそれぞれねじ止めされている。
なお、中骨２５は、障子４の閉鎖状態で縦框４４と引き合うように係合可能に構成されている。また、障子４の閉鎖状態で、中骨２５と縦框４４との隙間はタイト材２５６，４４６によって閉塞される。
【００３６】
図２，３に示すように、上框４１、下框４２および縦框４３には、上枠２１、下枠２２および縦枠２３のレール部２８の室外側面に摺動可能に当接する水密材１３が装着されている。
また、中骨２５および縦框４４が係合する召合せ部の上方および下方の位置には、上枠風止め板６および下枠風止め板７が配置されている。上枠風止め板６は、上枠２１と中骨２５および縦框４４の上面との間の空間を塞ぎ、下枠風止め板７は、下枠２２と、中骨２５および縦框４４の下面との間の空間を塞いでいる。この風止め板６，７は、中骨２５および縦框４４の上方および下方部分において室内外間に風が吹き抜けることを防止している。
したがって、片引き窓１の障子４を閉じると、片引き窓１の室外側と室内側とは、固定窓３の面材３１および障子４によって室外空間と室内空間とに区画される。このため、固定窓３の室内側に位置する水溜空間５、すなわち、下枠風止め板７と、縦枠２４との間に形成される水溜空間５は、片引き窓１の室内空間に位置する。
なお、図３に示すように、閉鎖位置にある障子４の室外側にも、下枠２２の水溜形成部２２１と、下枠風止め板７と、縦枠２３とで区画される水溜空間８が形成される。
【００３７】
［本実施形態の作用］
以下、本実施形態に係る片引き窓１の作用について説明する。
雨天時、中骨２５と縦框４４との召合せ部や、上枠風止め板６、下枠風止め板７で塞がれた部分から水溜空間５内に雨水が浸入し、水溜空間５内の水の高さレベルが所定高さ以上となった場合には、排水装置５３の弁体５３２が水に浮いて回動し、排水口５１を開く。
弁体５３２が開くと、水溜空間５内の水は排水弁ケース５３０内に流れ、その水の圧力で弁体５３１を室外側に開き、中空部２６９に排出される。中空部２６９内に排出された水は、排水口５２から室外側空間に排水される。
【００３８】
なお、弁体５３１に正圧が加わっている場合であり、水溜空間５および排水弁ケース５３０に溜まる水の水頭圧が弁体５３１の室外側に加わる風圧力（正圧）よりも小さい場合は、弁体５３１は閉じた状態となり、水溜空間５および排水弁ケース５３０内の水を中空部２６９に排出できない。この場合、水溜空間５の水位が高くなり、弁体５３１に加わる水頭圧も大きくなる。
したがって、水溜空間５および排水弁ケース５３０に溜まる水によって弁体５３１に加わる水頭圧が、前記弁体５３１の室外側に加わる風圧力（正圧）よりも大きくなると、弁体５３１は開くため、水溜空間５および排水弁ケース５３０内の水を中空部２６９に排出できる。中空部２６９内に排出された水は、排水口５２を介して下枠２２の室外側空間に排出される。
【００３９】
なお、水溜空間５の高さ寸法を大きくすれば、弁体５３１に大きな正圧が加わっても弁体５３１を開くことができ、水溜空間５の高さ寸法を小さくすると、弁体５３１に加わる正圧が小さくないと弁体５３１を開くことができない。したがって、水溜空間５の高さ寸法は、弁体５３１を開くことができる風圧力の上限値の設定に応じて設計すれば良い。
【００４０】
弁体５３１が開いて水溜空間５内の水が排水されて水位が下がると、弁体５３２の浮力も低下し、弁体５３２が閉じられる。水溜空間５内には僅かな水が残る場合もあるが、弁体５３２と排水弁ケース５３０との当接部分の微小な隙間などから、水溜空間５の水を少しずつ排出して除去できる。
【００４１】
なお、図３に示すように、閉鎖位置にある障子４の室外側に形成された水溜空間８は、室外側に面しており、直接、雨水が吹き込むため、水溜空間５に比べても水が溜まりやすい。この水溜空間８にも、排水口５１および排水装置５３が設けられているため、水溜空間８内の水位が障子４の下框４２よりも高くなっても、水溜空間５の水がレール部２８を超えて室内側に流入することはない。
【００４２】
また、雨天時、固定窓３側においては、固定枠２０および面材３１間の等圧空間３２が室外側の外気と等圧とされているので、室外側から当該等圧空間３２に雨水が浸入しにくい。ここで、排水口６１，６２を備えて構成される第二排水経路６０は、排水口５１，５２を備えて構成される第一排水経路５０に対して室外側に区分けされて別経路とされており、また、水溜空間５とも縁切りされている。このため、排水口６１，６２が水溜空間５に溜まった水の高さレベルに影響されることはなく、第一排水経路５０を流れる水に影響されることもなく、当該排水口６１，６２の開放状態を維持できる。これにより、例えば水溜空間５に溜まった水によって排水口６１，６２が塞がれて等圧空間３２を維持できなくなることがなく、室外側から等圧空間３２に雨水が浸入しやすくなることを防止できる。
なお、等圧空間３２に多少の雨水が浸入した場合であっても、浸入した水は第二排水経路６０を通じて室外側に排水される。
【００４３】
［本実施形態の効果］
（１）本実施形態では、片引き窓１は、窓枠２と、窓枠２内に構成される固定窓３と、窓枠２内であって固定窓３よりも室内側にスライド可能に配置される障子４とを備え、窓枠２は、上枠２１、下枠２２、左右の縦枠２３，２４および中骨２５を備え、下枠２２は、障子４を案内するレール部２８を有し、固定窓３とレール部２８との間には水溜空間５が形成され、下枠２２には、水溜空間５を室外側に連通する第一排水経路５０が構成され、固定窓３は、面材３１と、面材３１の周縁を固定する固定部である固定枠２０とによって構成され、固定枠２０および面材３１間には等圧空間３２が形成され、固定窓３の下部には、等圧空間３２を室外側に連通する第二排水経路６０が第一排水経路５０と区分けされて構成されることを特徴とする。
上記構成を有するため、固定窓３よりも室内側に配置される障子４側に浸入する雨水等は水溜空間５に流れ込んで溜まるが、固定枠２０および面材３１間の等圧空間３２に浸入する水は、水溜空間５に流れ込まずに第二排水経路６０を通じて室外側に排水される。このため、例えば固定窓３側の水と障子４側の水との双方が水溜空間５に流れ込み、共通の排水経路から排水される構成とされる建具と比べ、第一排水経路５０における排水能力を超えて水溜空間５に水が溜まることを抑制できる。
また、第二排水経路６０が第一排水経路５０と区分けされているため、水溜空間５や第一排水経路５０の水の高さレベルが上がっても、当該水溜空間５に溜まった水によって第二排水経路６０が塞がれることがない。これにより、例えば第二排水経路６０が塞がれて、固定枠２０および面材３１間の等圧空間３２の外気との等圧状態を維持できなくなるおそれを低減できる。
つまり、第二排水経路６０が塞がれた場合には、等圧空間３２と室外側との連通部分が等圧空間３２と室内側との連通部分よりも小さくなり、面材３１および固定枠２０間の空間が外気と等圧とならずに圧力差が生じてしまい、等圧空間３２に雨水等が浸入する可能性が高まる。しかし、本実施形態に係る片引き窓１では、前述したように第二排水経路６０が第一排水経路５０と区分けされた別経路として構成されているので、等圧空間３２を外気と等圧状態に維持できる。
さらに、本実施形態では、以下の各効果を発揮できる。
（２）第一排水経路５０には、当該第一排水経路５０を閉じた状態と開いた状態とを切り替える排水装置５３が配置される。
このため、排水装置５３によって第一排水経路５０を閉じた状態とすることで、水溜空間５に所定量の雨水等を溜めることができて、風が水溜空間５に吹き込むことを防止できる。
（３）下枠２２は、第一室外見付け片部２６１と、第二室外見付け片部２７２と、第一室外見付け片部２６１および第二室外見付け片部２７２とに連続する下片部２７１とを有し、第二室外見付け片部２７２は、第一室外見付け片部２６１よりも室外側に配置され、下片部２７１は、第一室外見付け片部２６１から第二室外見付け片部２７２に向かって室外側に延設され、下片部２７１には、第二排水経路６０を構成する排水口６２が形成される。
このため、前述した下片部２７１に形成される排水口６２は外観上視認されにくい位置に配置され、意匠性を向上できる。
（４）上枠２１、下枠２２、左右の縦枠２３，２４および中骨２５は樹脂製枠材によって形成され、下枠２２には、中空部２７８（第一中空部）および中空部２７７（第二中空部）が形成され、中空部２７８には補強材２７９が配置され、中空部２７７には第二排水経路６０が構成される。
このため、第二排水経路６０を通る水が補強材２７９が配置される中空部２７８に浸入することがないので、補強材２７９が水にぬれて腐食等することを抑制できる。
（５）中空部２７８は中骨２５の下部に位置し、中空部２７８に配置される補強材２７９は、中骨２５の下部に取り付けられ、中空部２７７は、中空部２７８よりも室外側に配置される。
このため、下枠２２の中空部２７８内の補強材２７９を中骨２５の下部に配置し、かつ当該中骨２５の下部に取り付けることで、樹脂製の窓枠２の剛性を高めることができる。
また、室外側から固定枠２０および面材３１間の等圧空間３２に浸入する水は第二排水経路６０を通じて室外側に排水されるので、当該第二排水経路６０よりも室内側に位置する中空部２７８側まで水が拡がることを抑制でき、補強材２７９の中骨２５の下部に対する取付部分などに水が浸入するおそれを低減できる。
（６）固定窓３は、上枠２１、下枠２２、縦枠２３および中骨２５によって構成される固定枠２０内に面材３１を固定して構成され、第二排水経路６０は下枠２２に構成される。
このため、固定枠２０によって面材３１自体を保持するので、面材３１の周縁に框材を取り付ける必要がなく、片引き窓１の部品点数を削減できる。
【００４４】
［変形例］
本発明は、以上の実施形態で説明した構成のものに限定されず、本発明の目的を達成できる範囲での変形例は、本発明に含まれる。
例えば、前記実施形態では、固定窓３は、上枠２１、下枠２２、縦枠２４および中骨２５に構成される固定枠２０内に面材３１を固定して構成されるが、これに限られない。
例えば図６に示すように、固定窓３は、樹脂製の上框、下框３３、左右の縦框を組んで固定部２０Ａを構成し、構成した固定部２０Ａ内に面材３１を固定して構成される障子３５（固定障子）を上枠、下枠２２Ａおよび縦枠に構成される枠内に固定して構成されてもよい。このように構成した場合には、下框３３に第二排水経路６０を構成して障子３５を窓枠２内に固定することで、一般的な障子を利用して固定窓３を構成できる。
【００４５】
この場合、下枠２２Ａは、下枠２２に対して保持部２７の構成が省略され、かつ内側見込み片部２６３に下框３３と係合する係合突部２６３Ａが形成されている。水溜形成部２２１は、下框３３、内側見込み片部２６３およびレール部２８によって形成されている。
また、等圧空間３２は、上框、下框３３、左右の縦框によって構成される固定部２０Ａと面材３１との間に形成されている。第二排水経路６０は、下框３３に形成された各排水口６１Ａ，６２Ａを備えて構成されており、前述した等圧空間３２を室外側に連通している。
【００４６】
下框３３には、中空部３３１（第二中空部）および中空部３３２（第一中空部）が形成されている。中空部３３１は、中空部３３２に対して室外側に配置されている。中空部３３２には金属製の補強材３３３が配置されている。補強材３３３は、下框３３の見込み片部３３４にねじ１０によってねじ止めされている。第二排水経路６０は、中空部３３２を通じて構成されている。
なお、水溜空間５を室外側に連通する第一排水経路５０は、下枠２２Ａの内側見込み片部２６３に形成された排水口５１と、下枠２２Ａの室外見付け片部２６１に形成された排水口５２とを備えて構成されている。
第二排水経路６０は、第一排水経路５０と区分けされて室外側に配置されている。
【００４７】
前記実施形態では、下片部２７１は、第一室外見付け片部２６１の上端から第二室外見付け片部２７２の下端に向かって斜め上向きに延びて形成されているが、これに限られず、水平方向に延びて形成されていてもよく、また、第一室外見付け片部２６１の上端から第二室外見付け片部２７２の下端に向かって斜め下向きに形成されていてもよい。
【００４８】
前記実施形態では、第二排水経路６０を構成する排水口６２は、下片部２７１に形成されているが、これに限られず、排水口６２は、下片部２７１以外の部分に形成されていてもよく、例えば第二室外見付け片部２７２に形成されていてもよい。
【００４９】
前記実施形態では、固定枠２０と面材３１との間には、室外側の外気と等圧となる等圧空間３２が形成されているが、室外側の外気と等圧とされない空間が形成されていてもよい。
【００５０】
前記実施形態では、第一排水経路５０に排水装置５３が配置されているが、この排水装置５３の構成を省略してもよい。
【００５１】
前記実施形態では、上枠２１、下枠２２、左右の縦枠２３，２４および中骨２５は樹脂製枠材によって形成されているが、これに限られず、アルミ押出形材などの金属製枠材によって形成されていてもよい。
【００５２】
前記実施形態では、固定窓３よりも室内側にスライド可能な障子４を配置して片引き窓１を建具として構成したが、このほかにも、例えば、固定窓３の左右両側であって室内側または室外側に配置される二つの障子４を備える両引き窓を建具として構成してもよい。
【符号の説明】
【００５３】
１…片引き窓（建具）、１０…ねじ、１１…気密材、１２…押縁、１３…水密材、１４…カバー材、２…窓枠、２０…固定枠（固定部）、２０Ａ…固定部、２１…上枠、２２，２２Ａ…下枠、２２１…水溜形成部、２３，２４…縦枠、２５…中骨（縦骨）、２５１…取付金具、２５２，２６６，２７９，３３３…補強材、２５３，２６７〜２６９，２７７，２７８，３３１，３３２…中空部、２５６，４４６…タイト材、２６，２５４…枠本体部、２６１…第一室外見付け片部、２６２…外側見込み片部、２６３…内側見込み片部、２６３Ａ…係合突部、２６４…室内見付け片部、２６５Ａ…第１仕切り片部、２６５Ｂ…第２仕切り片部、２６６…補強材、２７，２５５…保持部、２７１…下片部、２７２…第二室外見付け片部、２７３，３３４…見込み片部、２７３Ａ…溝形成部、２７４…レール対向片部、２７５，２７６…仕切り片部、２７９…補強材、２８…レール部、２８１…室内側突出片、２８２…室外側突出片、２８３…上面連結部、２８４…レール部材、３…固定窓、３１，４５…面材、３２…等圧空間（空間）、３３，４２…下框、３３３…補強材、３３４…見込み片部、４，３５…障子、４１…上框、４３，４４…縦框、４５…面材、４６…戸車、５，８…水溜空間、５０…第一排水経路、５１，５２…排水口、５３…排水装置、５３０…排水弁ケース、５３１，５３２…弁体、６…上枠風止め板、６０…第二排水経路、６１，６１Ａ，６２，６２Ａ…排水口、７…下枠風止め板。
【図１】
0006587954.tif 000002
【図２】
0006587954.tif 000003
【図３】
0006587954.tif 000004
【図４】
0006587954.tif 000005
【図５】
0006587954.tif 000006
【図６】
0006587954.tif 000007